(57)【特許請求の範囲】
【請求項１】
操作者が所持する記憶媒体に記憶された識別情報を読み取る読取部と、
前記読取部で読み取られた識別情報に基づいて、前記操作者による操作権限の有無を判定する判定部と、
着脱自在な貨幣カセットを装着するカセット装着部と、
貨幣を金種ごとに収納する貨幣収納部と、
前記カセット装着部に貨幣カセットが装着され、前記判定部により前記操作者が操作権限を有すると判定されたことを条件として、前記貨幣カセットに収納された貨幣を前記貨幣収納部に移行させる釣銭準備金補充処理を行う貨幣処理部と、
所定の表示操作部と、
前記カセット装着部に対して貨幣カセットが装着されたならば、前記読取部により前記記憶媒体の識別情報を読み取らせる操作案内を前記表示操作部に表示制御する表示制御部と
を有することを特徴とする貨幣処理装置。
【請求項２】
前記記憶媒体に記憶された識別情報と貨幣処理に係る操作権限の有無とを対応付けた操作権限情報を記憶する記憶部をさらに備え、
前記判定部は、
前記読取部によって前記記憶媒体の識別情報が読み取られた場合に、前記記憶部に記憶された操作権限情報に基づいて、該操作者による操作権限の有無を判定する
ことを特徴とする請求項１に記載の貨幣処理装置。
【請求項３】
所定の表示操作部をさらに備え、
前記貨幣処理部は、
前記判定部により前記操作者が操作権限を有すると判定され、前記表示操作部から所定の釣銭準備金補充操作を受け付け、前記カセット装着部に対して貨幣カセットが装着されたことを条件として、前記貨幣カセットに収納された貨幣を前記貨幣収納部に移行させる釣銭準備金補充処理を行う
ことを特徴とする請求項１又は２に記載の貨幣処理装置。
【請求項４】
貨幣の入出金処理を行う貨幣処理装置における貨幣処理方法であって、
前記貨幣処理装置が、操作者が所持する記憶媒体に記憶された識別情報を読取部にて読み取る読取工程と、
前記貨幣処理装置が、前記読取工程で読み取られた識別情報に基づいて、前記操作者による操作権限の有無を判定する判定工程と、
前記貨幣処理装置が、カセット装着部に着脱自在な貨幣カセットが装着され、前記判定工程により前記操作者が操作権限を有すると判定されたことを条件として、貨幣を金種ごとに収納する貨幣カセットに収納された貨幣を貨幣収納部に移行させる釣銭準備金補充処理を行う貨幣処理工程と、
前記貨幣処理装置が、前記カセット装着部に対して貨幣カセットが装着されたならば、前記読取部により前記記憶媒体の識別情報を読み取らせる操作案内を所定の表示操作部に表示制御する表示制御工程と
を含んだことを特徴とする貨幣処理方法。
【発明の詳細な説明】
【技術分野】
【０００１】
本発明は、釣銭機等の貨幣処理装置及び貨幣処理方法に関し、特に、貨幣カセット内の貨幣を貨幣処理装置に入金する場合に、セキュリティ面の低下を招くことなく担当者の操作性を向上させることができる貨幣処理装置及び貨幣処理方法に関する。
【背景技術】
【０００２】
従来、スーパーマーケットや百貨店等の商業施設には、商業施設内の各レジに釣銭機と呼ばれる貨幣処理装置が配設されている。この釣銭機は、ＰＯＳ（Point OF Sales）レジスタと接続され、レジ担当者が顧客から受け渡された貨幣を収納するとともに、顧客に返却する釣銭となる貨幣を払い出す装置である。
【０００３】
例えば、特許文献１には、店舗の開店時に必要となる釣銭を意味する釣銭準備金が装填された貨幣カセットを釣銭機に装着して、釣銭機の内部に釣銭を補充する処理を行う点が開示されている。
【０００４】
具体的には、管理者等の担当者が釣銭機に釣銭準備金を補充する場合には、該担当者が店舗のバックヤードに配設された売上金入金機又は貨幣入出金機から釣銭準備金が装填された貨幣カセットを取り外して釣銭機の場所まで移動し、釣銭機に対して貨幣カセットを装着して、釣銭補充金を機内に取り込むことになる。
【０００５】
ここで、釣銭機に対して釣銭準備金を補充する操作は、所定の管理権限を有する管理者に対して認められた操作となるため、担当者が有する鍵などを用いて釣銭機を管理者モードに移行させ、表示操作部から所定の補充操作を行った後に、釣銭機に貨幣カセットが装着される。
【先行技術文献】
【特許文献】
【０００６】
【特許文献１】特開２０１５−９２３２６号公報
【発明の概要】
【発明が解決しようとする課題】
【０００７】
しかしながら、上記の従来技術のように、鍵などを用いて釣銭機を管理者モードに移行させ、表示操作部から所定の補充操作を行わせることとすると、担当者に煩雑な操作を強いる結果となり、円滑な釣銭準備金の装填作業を阻害する要因となる。
【０００８】
この点を具体的に説明すると、担当者は、貨幣カセットを所持した状態で、該担当者が所持する鍵を用いて釣銭機を管理者モードに移行させるとともに、表示操作部上で釣銭準備金を補充する操作を行わなければならないため、操作者の操作負担が大きい。釣銭補充金を装填した貨幣カセットを床に載置させることは、セキュリティ面を考慮すると望ましくないからである。特に、店舗には複数のレジが存在することが多く、このような場合には、釣銭準備金を装填すべき複数の釣銭機が存在することになるが、担当者の両手は複数の貨幣カセットで塞がっており、この状態で担当者がどのように操作すべきかが問題となる。
【０００９】
このことから、釣銭準備金を装填した貨幣カセットを用いて釣銭機に釣銭を補充する場合に、いかにしてセキュリティ面の低下を招くことなく担当者の操作性を向上させるかが重要な課題となっている。かかる課題は、釣銭準備金を装填した貨幣カセットを用いて釣銭機に釣銭を補充する場合だけではなく、貨幣カセット内の貨幣を売上金入金機や貨幣入出金機等の貨幣処理装置に入金する場合にも同様に生ずる課題である。
【００１０】
本発明は、上記従来技術の課題を解決するためになされたものであって、貨幣カセット内の貨幣を貨幣処理装置に入金する場合に、セキュリティ面の低下を招くことなく担当者の操作性を向上させることができる貨幣処理装置及び貨幣処理方法を提供することを目的とする。
【課題を解決するための手段】
【００１１】
上記の課題を解決するため、本発明は、操作者が所持する記憶媒体に記憶された識別情報を読み取る読取部と、前記読取部で読み取られた識別情報に基づいて、前記操作者による操作権限の有無を判定する判定部と、着脱自在な貨幣カセットを装着するカセット装着部と、貨幣を金種ごとに収納する貨幣収納部と、前記カセット装着部に貨幣カセットが装着され、前記判定部により前記操作者が操作権限を有すると判定されたことを条件として、前記貨幣カセットに収納された貨幣を前記貨幣収納部に移行させる釣銭準備金補充処理を行う貨幣処理部と、所定の表示操作部と、前記カセット装着部に対して貨幣カセットが装着されたならば、前記読取部により前記記憶媒体の識別情報を読み取らせる操作案内を前記表示操作部に表示制御する表示制御部とを有することを特徴とする。
【００１３】
また、本発明は、上記の発明において、前記記憶媒体に記憶された識別情報と貨幣処理に係る操作権限の有無とを対応付けた操作権限情報を記憶する記憶部をさらに備え、前記判定部は、前記読取部によって前記記憶媒体の識別情報が読み取られた場合に、前記記憶部に記憶された操作権限情報に基づいて、該操作者による操作権限の有無を判定することを特徴とする。
【００１４】
また、本発明は、上記の発明において、所定の表示操作部をさらに備え、前記貨幣処理部は、前記判定部により前記操作者が操作権限を有すると判定され、前記表示操作部から所定の釣銭準備金補充操作を受け付け、前記カセット装着部に対して貨幣カセットが装着されたことを条件として、前記貨幣カセットに収納された貨幣を前記貨幣収納部に移行させる釣銭準備金補充処理を行うことを特徴とする。
【００１８】
また、本発明は、貨幣の入出金処理を行う貨幣処理装置における貨幣処理方法であって、前記貨幣処理装置が、操作者が所持する記憶媒体に記憶された識別情報を読取部にて読み取る読取工程と、前記貨幣処理装置が、前記読取工程で読み取られた識別情報に基づいて、前記操作者による操作権限の有無を判定する判定工程と、前記貨幣処理装置が、カセット装着部に着脱自在な貨幣カセットが装着され、前記判定工程により前記操作者が操作権限を有すると判定されたことを条件として、貨幣を金種ごとに収納する貨幣カセットに収納された貨幣を貨幣収納部に移行させる釣銭準備金補充処理を行う貨幣処理工程と、前記貨幣処理装置が、前記カセット装着部に対して貨幣カセットが装着されたならば、前記読取部により前記記憶媒体の識別情報を読み取らせる操作案内を所定の表示操作部に表示制御する表示制御工程とを含んだことを特徴とする。
【発明の効果】
【００１９】
本発明によれば、表示操作部に所定の操作者が操作可能な画面を表示する状況において、第三者による不正を防止しつつ操作性の低下を効率良く抑制することが可能となる。
【図面の簡単な説明】
【００２０】
【図１】図１は、本実施例１に係る釣銭機の特徴を説明するための説明図である。
【図２】図２は、本実施例１に係る釣銭機及びＰＯＳレジスタの外観を示す斜視図である。
【図３】図３は、図２に示す釣銭機における紙幣処理ユニットの内部構成を側方から見たときの構成図である。
【図４】図４は、図２に示す釣銭機における硬貨処理ユニットの内部構成を上方から見たときの構成図である。
【図５】図５は、図２に示す釣銭機において包装硬貨収納ユニットの収納ドロアを筐体から引き出したときの構成を上方から見たときの構成図である。
【図６】図６は、図２に示す釣銭機及びＰＯＳレジスタにおける制御系の構成を示す機能ブロック図である。
【図７】図７は、図１に示した収納カセットの外観を示す斜視図である。
【図８】図８は、図１に示した釣銭機に対する釣銭準備金の補充処理手順を示すフローチャートである。
【図９】図９は、図８に示す処理を行う場合に表示操作部に表示される画面の一例を示す図である。
【図１０】図１０は、図１に示した釣銭機に対する釣銭準備金の別の補充処理手順を示すフローチャートである。
【図１１】図１１は、図１０に示す処理を行う場合に表示操作部に表示される画面の一例を示す図である。
【図１２】図１２は、本実施例２に係る貨幣入出金機の特徴を説明するための説明図である。
【図１３】図１３は、本実施例２に係る貨幣入出金機の外観を示す斜視図である。
【図１４】図１４は、図１３に示した貨幣入出金機における紙幣処理ユニットの内部構成を側方から見たときの構成図である。
【図１５】図１５は、図１３に示す貨幣入出金機における硬貨処理ユニットの内部構成を上方から見たときの構成図である。
【図１６】図１６は、図１３に示した貨幣入出金機における制御系の構成を示す機能ブロック図である。
【図１７】図１７は、貨幣入出金機の表示操作部に表示される画面の一例を示す図である。
【発明を実施するための形態】
【００２１】
以下、添付図面を参照して、本実施例に係る貨幣処理装置及び貨幣処理方法の実施例を説明する。なお、以下に示す実施例１では、本発明を釣銭機に適用した場合を示し、実施例２では、本発明を貨幣入出金機に適用した場合を示すこととする。
【実施例１】
【００２２】
＜本実施例１に係る釣銭機の特徴について＞
まず、本実施例１に係る釣銭機１００の特徴について説明する。図１は、本実施例１に係る釣銭機１００の特徴を説明するための説明図である。同図に示すように、この釣銭機１００には、ＩＣタグリーダ１０１が設けられている。
【００２３】
管理者は、管理者用の権限情報を記憶するＩＣタグ１０１ａを所持しており、このＩＣタグ１０１ａをＩＣタグリーダ１０１に翳すと、表示操作部１０４の表示内容は、初期画面から管理者用画面に移行する。この管理者用画面には、「回収」ボタン、「釣銭機」ボタン、「補充／両替」ボタンという管理者のみが操作できる管理者用ボタンが表示され、表示操作部１０４から管理者としての操作を行うことが可能となる。
【００２４】
このため、管理者は、ＩＣタグ１０１ａをＩＣタグリーダ１０１に翳して表示操作部１０４に管理者用画面を表示させ、この管理者用画面上の「補充／両替」ボタンを押下操作した後、いわゆる釣銭準備金が装填された収納カセット３００を釣銭機１００に装着し、釣銭を補充することができる。
【００２５】
ところが、従来技術によれば、鍵を用いて釣銭機を管理者モードに移行させているため、管理者は、収納カセット３００を所持した状態で鍵の解錠操作を行わねばならない。複数の収納カセット３００を所持した状況では、かかる鍵の解錠操作は困難を極める。
【００２６】
そこで、本実施例１に係る釣銭機では、管理者が、まず収納カセット３００を釣銭機１００に装着し（１）、その後にＩＣタグ１０１ａをＩＣタグリーダ１０１に翳す（２）と、収納カセット３００内の紙幣が釣銭機１００に補充されることとしている。なお、収納カセット３００の装着及びＩＣタグ１０１ａの翳し操作が行われると、表示操作部１０４上に釣銭準備金の補充処理が実行される旨の表示が行われる。このようにすることで、本実施例１に係る釣銭機１００は、セキュリティ面の低下を招くことなく管理者の操作性を向上させている。
【００２７】
次に、図１に示した釣銭機１００及びこの釣銭機１００と通信可能に接続されるＰＯＳレジスタ１９０の構成について説明する。この釣銭機１００の前面上部には、ＩＣタグリーダ１０１と、表示操作部１０４とが設けられている。その詳細な説明は後述するが、ＩＣタグリーダ１０１は、管理者が所持するＩＣタグが翳された場合に、このＩＣタグのメモリに記憶された情報を読み取る装置であり、表示操作部１０４は、初期画面等の各種画面を表示するとともに、入力操作を受け付ける入出力デバイスである。
【００２８】
＜釣銭機１００の構成＞
まず、本実施例１に係る釣銭機１００の構成について図２〜図６を用いて説明する。図２等に示すように、この釣銭機１００は、硬貨処理ユニット１５０と、紙幣処理ユニット１１０と、包装硬貨収納ユニット１８０とを有する。硬貨処理ユニット１５０及び包装硬貨収納ユニット１８０は、上下に並ぶよう配置される。また、紙幣処理ユニット１１０は、硬貨処理ユニット１５０や包装硬貨収納ユニット１８０の隣に並ぶよう配置される。紙幣処理ユニット１１０及び硬貨処理ユニット１５０の上方には、ＰＯＳレジスタ１９０が載置される。
【００２９】
紙幣処理ユニット１１０は、紙幣の入出金処理を行い、硬貨処理ユニット１５０は、硬貨の入出金処理を行う。また、包装硬貨収納ユニット１８０は、各金種の包装硬貨を取り出し可能に収納する。ＰＯＳレジスタ１９０は、釣銭機１００の管理を行う管理装置として用いられる。
【００３０】
＜紙幣処理ユニット１１０の構成＞
図２及び図３に示すように、紙幣処理ユニット１１０は、略直方体形状の筐体１１２と、この筐体１１２の前面側に設けられた紙幣受入部１２０と、筐体１１２の前面側において紙幣受入部１２０の下方に設けられた紙幣払出部１２２と、筐体１１２の内部で紙幣を１枚ずつ搬送する搬送部１３０と、筐体１１２の内部で紙幣を収納するとともに収納された紙幣を繰出可能な複数の紙幣収納部１３４、１３６、１３８とを有する。なお、図３において、筐体１１２の右側の側面が紙幣処理ユニット１１０の手前側の面となっており、図３における左向きの方向が紙幣処理ユニット１１０の奥行き方向となっている。
【００３１】
図３に示すように、搬送部１３０は、筐体１１２の中央位置に配置された周回搬送部１３０ａ及び複数の接続搬送部１３０ｂから構成される。また、紙幣受入部１２０、紙幣払出部１２２、出金リジェクト部１２４、収納カセット３００を着脱自在に装着可能なカセット装着部１２６及び３つの紙幣収納部１３４、１３６、１３８が、それぞれ周回搬送部１３０ａを取り囲むよう配置される。
【００３２】
また、図３に示すように、複数の接続搬送部１３０ｂの各々により、紙幣受入部１２０、紙幣払出部１２２、出金リジェクト部１２４、カセット装着部１２６及び３つの紙幣収納部１３４、１３６、１３８の各々と、周回搬送部１３０ａとの間が接続される。また、周回搬送部１３０ａには識別部１３２が設けられており、この識別部１３２は、周回搬送部１３０ａにより搬送される紙幣の金種、真偽、正損、表裏、搬送状態等の識別を行う。
【００３３】
周回搬送部１３０ａは、図３における時計回りの方向及び反時計回りの方向の両方向に紙幣を１枚ずつ搬送する。また、搬送部１３０において、周回搬送部１３０ａと各接続搬送部１３０ｂとの間で紙幣の搬送経路を切り換える経路切換部（図示せず）が、周回搬送部１３０ａに沿って配置される。
【００３４】
図２及び図３に示すように、筐体１１２の前面には、紙幣受入部１２０の紙幣受入口１２０ａと、紙幣払出部１２２の紙幣取出口１２２ａとがそれぞれ設けられる。また、カセット装着部１２６の前面から収納カセット３００を装着することができる。収納カセット３００を装着すると、電磁ロックにより固定される。また、収納カセット３００の取り出し操作が行われると、電磁ロックが解除され、ポップアップ形式で装置前面に少しだけ飛び出す。操作者は、飛び出たカセットを掴んで抜取ることにより、カセット装着部１２６からの収納カセット３００の取り出しが可能となる。
【００３５】
管理者が、この扉１２６ａを開いてカセット装着部１２６に収納カセット３００を装着した状態で、ＩＣタグ１０１ａをＩＣタグリーダ１０１に翳すと、管理者が正当な権限を有することを条件として（その詳細は後述する）、収納カセット３００に装填された釣銭準備金としての紙幣を各紙幣収納部１３４、１３６、１３８に収納する処理が開始される。
【００３６】
また、図６に示すように、カセット装着部１２６には、当該カセット装着部１２６に装着された収納カセット３００に設けられているカセット用ＩＣタグ３０４に記憶される情報の読み書きを行うカセット用ＩＣタグリーダライタ１２８が設けられる。
【００３７】
紙幣受入部１２０には紙幣繰出機構１２１が設けられており、紙幣受入口１２０ａに対する紙幣の投入が検知されると、紙幣繰出機構１２１が駆動され、紙幣が接続搬送部１３０ｂを介して周回搬送部１３０ａ側へ１枚ずつ繰り出される。
【００３８】
紙幣払出部１２２は、各紙幣収納部１３４、１３６、１３８から周回搬送部１３０ａに繰り出された紙幣を紙幣取出口１２２ａにより筐体１１２の外部へ放出する。
【００３９】
出金リジェクト部１２４は、出金処理時において各紙幣収納部１３４、１３６、１３８から繰り出された紙幣のうち、重送や斜行等の搬送異常により識別部１３２で識別できない紙幣を出金リジェクト紙幣として収納する。また、紙幣受入部１２０から筐体１１２の内部に取り込まれた紙幣のうち、入金処理時において汚損等により識別部１３２で識別できない紙幣は、入金リジェクト紙幣として紙幣払出部１２２に返却される。
【００４０】
各紙幣収納部１３４、１３６、１３８は、識別部１３２の識別結果に基づいて紙幣を金種別に収納する。これらの紙幣収納部１３４、１３６、１３８には、紙幣処理ユニット１１０に入金された売上金としての紙幣や釣銭として出金されるべき紙幣が収納される。例えば、紙幣収納部１３４には千円札が収納され、紙幣収納部１３６には五千円札が収納され、紙幣収納部１３８には一万円札が収納される。また、各紙幣収納部１３４、１３６、１３８にはそれぞれ紙幣繰出機構１３５、１３７、１３９が設けられており、これらの紙幣収納部１３４、１３６、１３８に収納されている紙幣は、各紙幣繰出機構１３５、１３７、１３９により接続搬送部１３０ｂを介して周回搬送部１３０ａ側へ１枚ずつ繰り出される。
【００４１】
＜収納カセット３００＞
収納カセット３００は、売上金を回収する場合に各紙幣収納部１３４、１３６、１３８の紙幣を収納する。つまり、操作者による回収指示により、紙幣処理ユニット１１０内の売上金が集約される。また、各紙幣収納部１３４、１３６、１３８に収納できなかったあふれ紙幣を収納したり、自動精査時の保留場所としての役割も果たす。
【００４２】
＜硬貨処理ユニット１５０の構成＞
次に、硬貨処理ユニット１５０の構成について説明する。図２及び図４に示すように、硬貨処理ユニット１５０は、略直方体形状の筐体１５１と、筐体１５１の前面側に設けられた硬貨受入部１５２と、筐体１５１の前面側において硬貨受入部１５２の下方に設けられた硬貨払出部１６６と、筐体１５１の内部で硬貨を収納するとともに、収納された硬貨を繰出可能な複数の収納繰出部１６０とを有する。
【００４３】
硬貨受入部１５２は、硬貨投入口を介して受け入れた硬貨を１層１列状態で１枚ずつ筐体１５１内に取り込む。具体的には、硬貨受入部１５２には繰出ベルト等からなる硬貨繰出機構１５３（図６参照）が設けられており、硬貨受入部１５２に受け入れられた硬貨を検知すると、この硬貨繰出機構１５３が駆動され、当該硬貨繰出機構１５３によって硬貨が筐体２５１の内部に１枚ずつ繰り出される。また、図４に示すように、硬貨受入部１５２には、当該硬貨受入部１５２により筐体１５１の内部に繰り出された硬貨を搬送する入金搬送部１５４が接続されている。
【００４４】
図４に示すように、入金搬送部１５４の途中には、硬貨の金種、真偽、正損、表裏、搬送状態等の識別を行う識別部１５６と、分岐部１５８とが設けられている。分岐部１５８は、識別部１５６による硬貨の識別結果に基づいて、硬貨払出部１６６から払い出されるべきリジェクト硬貨等を入金搬送部１５４から分岐させて出金搬送部１６２へ案内する。
【００４５】
一方、筐体１５１内に収納されるべき正常硬貨等は、入金搬送部１５４により各収納繰出部１６０へ搬送される。収納繰出部１６０は、硬貨を金種別に収納するとともに、収納された硬貨を繰出可能となるよう構成される。例えば、日本国で流通している硬貨の６つの金種（５００円硬貨、１００円硬貨、５０円硬貨、１０円硬貨、５円硬貨及び１円硬貨）に対応して６つの収納繰出部１６０が設けられており、入金搬送部１５４の上流側（すなわち、図４における下側）から低額順に各収納繰出部１６０に硬貨が金種毎に収納される。また、収納繰出部１６０には、当該収納繰出部１６０に収納された硬貨を１枚ずつ出金搬送部１６２に繰り出す硬貨繰出機構（図示せず）が設けられる。
【００４６】
出金搬送部１６２は、収納繰出部１６０から繰り出された硬貨を硬貨払出部１６６へ搬送する。また、出金搬送部１６２は、分岐部１５８により入金搬送部１５４から分岐されたリジェクト硬貨等を硬貨払出部１６６へ搬送する。
【００４７】
また、入金搬送部１５４の途中には、あふれ硬貨分岐部が設けられている。あふれ硬貨分岐部は、識別部１５６による硬貨の識別結果が正常硬貨であった場合でも、対応する硬貨収納部１６０がフルの状態である場合に硬貨を硬貨補助収納部１６４に搬送する。このように、硬貨補助収納部１６４は、あふれ硬貨を収納する用途に使用することも可能であるが、設定によっては硬貨収納部１６０がフル状態の場合に運用を停止し、硬貨補助収納部１６４にあふれ硬貨を入れないようにすることもできる。また、この硬貨補助収納部１６４は、自動精査処理でも使用される。
【００４８】
＜包装硬貨収納ユニット１８０の構成＞
次に、包装硬貨収納ユニット１８０の構成について具体的に説明する。図２及び図５に示すように、包装硬貨収納ユニット１８０は、手前側の側面が開口している略直方体形状の筐体１８１と、筐体１８１内に収容可能となっているとともに当該筐体１８１から手前側に引き出し可能な収納ドロア１８２とを有する。収納ドロア１８２には、各金種の包装硬貨が例えば２列で収納される（図５において、収納ドロア１８２に収納された各金種の包装硬貨を斜線で示している）。
【００４９】
ここで、収納ドロア１８２には、包装硬貨を１本ずつ収納する収納部（ポケット）が複数個形成されており、各収納部に収納される包装硬貨の金種毎の収納本数及び位置が予め設定される。具体的には、図５において参照符号Ａで示す領域には８本の１００円の包装硬貨が収納可能であり、参照符号Ｂで示す領域には１本の５００円の包装硬貨が収納可能であり、参照符号Ｃで示す領域には１本の５０円の包装硬貨が収納可能である。
【００５０】
また、図５において参照符号Ｄで示す領域には６本の１０円の包装硬貨が収納可能であり、参照符号Ｅで示す領域には４本の１円の包装硬貨が収納可能であり、参照符号Ｆで示す領域には１本の５円の包装硬貨が収納可能である。
【００５１】
また、図６に示すように、包装硬貨収納ユニット１８０の筐体１８１の内部には、収納ドロア１８２が筐体１８１に完全に収容されたときに当該収納ドロア１８２を筐体１８１内にロックするためのロック機構１８６が設けられる。ここで、ロック機構１８６が収納ドロア１８２を筐体１８１の内部にロックしたならば、この収納ドロア１８２を筐体１８１から手前側に引き出すことができず、これにより収納ドロア１８２から包装硬貨を取り出すことができなくなる。
【００５２】
また、包装硬貨収納ユニット１８０の筐体１８１における前面開口の近傍には、収納ドロア１８２が筐体１８１から手前側に引き出されたり筐体１８１の内部に戻されたりする際に、当該収納ドロア１８２に収納された包装硬貨の金種毎の本数を検知する検知部１８４が設けられる。具体的には、図５等に示すように、検知部１８４は左右一対の光センサ１８４ａ及び筐体１８１からの収納ドロア１８２の引き出し量を検知するロータリエンコーダ１８４ｂを有する。
【００５３】
ここで、各光センサ１８４ａは、発光素子及び受光素子を有しており、発光素子から発せられた光は、包装硬貨収納ユニット１８０の幅方向（図５における左右方向）に延びる光軸を通って受光素子に送られる。そして、収納ドロア１８２が筐体１８１の内部に完全に収容された状態である場合や、当該収納ドロア１８２が筐体１８１から完全に引き出された状態である場合には、各光センサ１８４ａにおいて発光素子から発せられた光は受光素子により受光される。
【００５４】
一方、収納ドロア１８２が筐体１８１から手前側に引き出される場合や、筐体１８１の内部に戻される場合には、発光素子から発せられた光が収納ドロア１８２内に収納された包装硬貨により遮られるため、受光素子に光が届かなくなり、その結果として包装硬貨の孔の有無や直径の大きさが検知される。
【００５５】
このように、収納ドロア１８２において、収納される包装硬貨の金種毎の収納本数及び位置が予め設定されているため、光センサ１８４ａにより検知された包装硬貨の孔の有無や直径の大きさ、並びにロータリエンコーダ１８４ｂにより検知された筐体１８１からの収納ドロア１８２の引き出し量に基づいて、収納ドロア１８２に収納された包装硬貨の金種毎の本数及び各包装硬貨が収納ドロア１８２内の所定の位置に正しく収納されているか否か等が検知される。
【００５６】
＜ＰＯＳレジスタ１９０の構成＞
次に、ＰＯＳレジスタ１９０の構成について具体的に説明する。図２及び図６に示すように、ＰＯＳレジスタ１９０は、ＰＯＳ制御部１９１と、ＰＯＳ制御部１９１にそれぞれ接続されたモニタ等の表示部１９３及び操作キー等の操作部１９４とを有する。
【００５７】
操作部１９４は、操作者による操作が可能となっており、ＰＯＳ制御部１９１に対して様々な指令を与えることができる。また、表示部１９３は、紙幣処理ユニット１１０や硬貨処理ユニット１５０における紙幣や硬貨の処理状況や、紙幣処理ユニット１１０や硬貨処理ユニット１５０に収納された紙幣や硬貨の在高等の情報を表示する。また、ＰＯＳレジスタ１９０には、顧客が視認可能な追加の表示部１９３ａが設けられており、様々な情報を表示部１９３に表示させる代わりに、あるいは表示部１９３における表示に加えて、追加の表示部１９３ａにおいて表示が行われるように構成することもできる。
【００５８】
また、ＰＯＳレジスタ１９０には、印字部１９７が設けられる（図６参照、図２では図示せず）。また、印字部１９７は、例えばプリンタから構成され、売上レシートや集計レシートに加えて、紙幣処理ユニット１１０や硬貨処理ユニット１５０に収納されている紙幣や硬貨の在高等の情報をレシートに印字する。
【００５９】
＜釣銭機１００の制御系の構成＞
次に、釣銭機１００の制御系の構成について図６を用いて説明する。図６に示すように、硬貨処理ユニット１５０は、上位制御部１０２及び硬貨制御部１５０ａを有しており、これらの上位制御部１０２及び硬貨制御部１５０ａは互いに接続される。
【００６０】
また、紙幣処理ユニット１１０は紙幣制御部１１０ａを有し、この紙幣制御部１１０ａは硬貨処理ユニット１５０の上位制御部１０２に接続される。また、包装硬貨収納ユニット１８０は包装硬貨制御部１８０ａを有し、この包装硬貨制御部１８０ａは硬貨処理ユニット１５０の上位制御部１０２に接続される。また、ＰＯＳレジスタ１９０に設けられたＰＯＳ制御部１９１も硬貨処理ユニット１５０の上位制御部１０２に接続される。また、図示省略したが、ＰＯＳレジスタ１９０のＰＯＳ制御部１９１は店舗サーバ等の上位端末と通信可能に接続される。
【００６１】
図６に示すように、硬貨処理ユニット１５０の上位制御部１０２には、紙幣処理ユニット１１０、包装硬貨収納ユニット１８０及びＰＯＳレジスタ１９０の各々と通信を行うための通信部１０３、表示操作部１０４、ＩＣタグリーダ１０１、比較部１０５、出金情報管理部１０６、記憶部１０８及び判定部１０９がそれぞれ接続される。なお、この上位制御部１０２が、請求項１の貨幣処理部に対応する。
【００６２】
上位制御部１０２は、通信部１０３を介して、紙幣処理ユニット１１０の紙幣制御部１１０ａ、包装硬貨収納ユニット１８０の包装硬貨制御部１８０ａ及びＰＯＳレジスタ１９０のＰＯＳ制御部１９１に対して信号の送受信を行う。
【００６３】
また、この上位制御部１０２は、カセット装着部１２６に収納カセット３００が装着され、その後にＩＣタグリーダ１０１にてＩＣタグ１０１ａのメモリに記憶された識別情報が読み出され、この識別情報が釣銭準備金を補充する権限を有する者の識別情報であると判定されたならば、収納カセット３００内の釣銭準備金となる貨幣を各紙幣収納部１３４、１３６、１３８に収納させるよう制御する。この際、その旨を表示操作部１０４に表示制御する。
【００６４】
なお、管理者が正当な権限を有するか否かを判定する際には、ＩＣタグ１０１ａ内のメモリに操作者を一意に識別する識別情報を記憶するとともに、釣銭機１００内の記憶部１０８に各識別情報と権限の対応関係を記憶しておき、ＩＣタグ１０１ａから識別情報を読み取った際に、後述する判定部１０９が、この識別情報に対応する権限を参照して、釣銭補充金の補充を許容するか否かを判定する。
【００６５】
表示操作部１０４は、タッチパネル等の入出力デバイスからなり、硬貨処理ユニット１５０の筐体１５１の上面に設けられる。この表示操作部１０４には、操作者が操作するための操作画面、紙幣処理ユニット１１０、硬貨処理ユニット１５０及び包装硬貨収納ユニット１８０の各々に収納された貨幣の在高に係る情報が表示される。かかる表示操作部１０４において、操作者は、操作画面における操作ボタンに指を触れることによって、上位制御部１０２に様々な指令を入力する。なお、この表示操作部１０４自体はタッチパネル等として周知な技術であり、マトリクス・スイッチ方式、抵抗膜方式、表面弾性波方式等の各種技術を用いることができる。
【００６６】
記憶部１０８は、ハードディスク装置や不揮発性メモリ等の記憶デバイスからなり、紙幣処理ユニット１１０、硬貨処理ユニット１５０及び包装硬貨収納ユニット１８０の各々に収納されている貨幣の在高に係る情報や、釣銭機１００における貨幣の処理履歴等の様々な情報を記憶する。なお、この記憶部１０８には、ＩＣタグ１０１ａの識別情報と権限に関する情報との対応関係も記憶される。
【００６７】
また、この記憶部１０８には、後述する各種画面の画面データが記憶される。これらの画面データは、上位制御部１０２により読み出され、表示操作部１０４に表示制御される。
【００６８】
ＩＣタグリーダ１０１は、操作者が所持するＩＣタグ１０１ａが翳された場合に、該ＩＣタグ１０１ａのメモリに記憶された識別情報を読み取り、読み取った識別情報を上位制御部１０２に受け渡す。
【００６９】
比較部１０５は、釣銭機１００に入金された釣銭補充金に係る貨幣の金種毎の枚数と、収納カセット３００に設けられたカセット用ＩＣタグ３０４からカセット用ＩＣタグリーダライタ１２８により読み取られた情報に基づく釣銭補充金に係る貨幣の金種毎の枚数とを比較する。
【００７０】
出金情報管理部１０６は、収納カセット３００に設けられたカセット用ＩＣタグ３０４からカセット用ＩＣタグリーダライタ１２８により読み取られた情報に基づいて、貨幣入出金機から出金された貨幣に関する情報（とりわけ、包装硬貨に関する情報）を管理する。
【００７１】
判定部１０９は、ＩＣタグリーダ１０１により読み出された権限情報が、管理者としての権限情報であるか否かを判定する処理部である。例えば、レジ担当者の権限情報が「０」、レジでの管理者の権限情報が「１」、店長の権限情報が「２」と設定されており、ＩＣタグリーダ１０１により読み出された識別情報に対応する権限情報が「１」又は「２」である場合には、操作者が管理者であると判定する。
【００７２】
また、紙幣処理ユニット１１０の紙幣制御部１１０ａには、通信部１４０、紙幣繰出機構１２１、搬送部１３０、識別部１３２、紙幣繰出機構１３５、１３７、１３９、カセット装着部１２６、カセット用ＩＣタグリーダライタ１２８等が接続される。識別部１３２による紙幣の識別情報や、収納カセット３００に設けられたカセット用ＩＣタグ３０４から読み取られた情報が紙幣制御部１１０ａに送られるとともに、紙幣制御部１１０ａは、紙幣処理ユニット１１０の各構成部位に指令信号を送ることにより、これらの構成部位の制御を行う。また、紙幣制御部１１０ａは、通信部１４０により、硬貨処理ユニット１５０の上位制御部１０２に対して信号の送受信を行う。
【００７３】
また、硬貨処理ユニット１５０の硬貨制御部１５０ａには、硬貨繰出機構１５３、入金搬送部１５４、識別部１５６、分岐部１５８、各収納繰出部１６０及び出金搬送部１６２等が接続される。識別部１５６による硬貨の識別情報が硬貨制御部１５０ａに送られるとともに、硬貨制御部１５０ａは硬貨処理ユニット１５０の各構成部位に指令信号を送ることにより、これらの構成部位の制御を行う。
【００７４】
また、包装硬貨収納ユニット１８０の包装硬貨制御部１８０ａには、通信部１８９、検知部１８４、ロック機構１８６及び記憶部１８８等が接続される。検知部１８４による包装硬貨の検知情報が包装硬貨制御部１８０ａに送られるとともに、包装硬貨制御部１８０ａはロック機構１８６に指令信号を送ることにより当該ロック機構１８６の制御を行う。また、包装硬貨制御部１８０ａは、通信部１８９により、硬貨処理ユニット１５０の上位制御部１０２に対して信号の送受信を行う。また、包装硬貨収納ユニット１８０の収納ドロア１８２に収納されている包装硬貨の在高の情報等が記憶部１８８に記憶される。
【００７５】
＜ＰＯＳレジスタ１９０の制御系の構成＞
また、ＰＯＳレジスタ１９０のＰＯＳ制御部１９１には、表示部１９３、操作部１９４、記憶部１９５、通信部１９２、印字部１９７等がそれぞれ通信可能に接続されており、操作者により操作部１９４に入力された指令が当該操作部１９４からＰＯＳ制御部１９１に送られる。
【００７６】
ＰＯＳ制御部１９１は、表示部１９３に指令を送ることにより、当該表示部１９３に様々な情報を表示させる。なお、ＰＯＳ制御部１９１は、追加の表示部１９３ａに対しても指令を送ることにより、該表示部１９３ａに様々な情報を表示させる。
【００７７】
また、ＰＯＳ制御部１９１は、印字部１９７に指令を送ることにより、当該印字部１９７により様々な情報をレシート等に印字させる。また、ＰＯＳ制御部１９１は、通信部１９２により、硬貨処理ユニット１５０の上位制御部１０２や店舗サーバ等の上位端末（図示せず）に対して信号の送受信を行う。
【００７８】
記憶部１９５には、紙幣処理ユニット１１０や硬貨処理ユニット１５０等から送信された、紙幣処理ユニット１１０や硬貨処理ユニット１５０における硬貨や紙幣の処理状況や、紙幣処理ユニット１１０や硬貨処理ユニット１５０、包装硬貨収納ユニット１８０の内部に収納されている硬貨や紙幣、包装硬貨の在高等の様々な情報が記憶される。
【００７９】
＜収納カセット３００の構成＞
次に、貨幣入出金機と釣銭機１００との間で紙幣の受け渡しを行うための収納カセット３００の構成について図７を用いて説明する。図７に示すように、収納カセット３００は、略直方体形状のケーシング３０１を有しており、当該ケーシング３０１の内部に紙幣が積層状態で収納される。また、この収納カセット３００は貨幣入出金機のカセット装着部及び釣銭機１００のカセット装着部１２６にそれぞれ着脱自在に装着される。
【００８０】
また、収納カセット３００のケーシング３０１の側面には開口３０２が形成されており、収納カセット３００が貨幣入出金機のカセット装着部や釣銭機１００のカセット装着部１２６に装着されているときに、貨幣入出金機の紙幣処理ユニットに設けられた搬送部や釣銭機１００の紙幣処理ユニット１１０に設けられた搬送部１３０から当該開口３０２を介して紙幣が収納カセット３００の内部に送られたり、収納カセット３００に収納されている紙幣が開口３０２を介して貨幣入出金機の紙幣処理ユニットの搬送部や釣銭機１００の紙幣処理ユニット１１０の搬送部１３０に繰り出されたりする。
【００８１】
より詳細には、収納カセット３００の内部には、当該収納カセット３００に収納されている紙幣を開口３０２からケーシング３０１の外部に繰り出す紙幣繰出機構が設けられている。また、収納カセット３００が貨幣入出金機のカセット装着部や釣銭機１００のカセット装着部１２６に装着されているときに、貨幣入出金機の紙幣処理ユニット側や釣銭機１００の紙幣処理ユニット１１０側から収納カセット３００の紙幣繰出機構に動力が伝達される。
【００８２】
このように、収納カセット３００が貨幣入出金機のカセット装着部や釣銭機１００のカセット装着部１２６から取り出された状態では当該収納カセット３００に収納されている紙幣をケーシング３０１の外部に繰り出させることができないため、収納カセット３００に収納されている紙幣のセキュリティ性を向上させることができる。
【００８３】
また、収納カセット３００のケーシング３０１の側面にはカセット用ＩＣタグ３０４が設けられている。そして、収納カセット３００が貨幣入出金機のカセット装着部や釣銭機１００のカセット装着部１２６に装着されているときに、貨幣入出金機及び釣銭機１００のカセット装着部に設けられたカセット用ＩＣタグリーダライタ１２８によりカセット用ＩＣタグ３０４のメモリに記憶された情報を読み書きできる。
【００８４】
＜補充処理手順及び画面例について＞
次に、図１に示した釣銭機１００による釣銭準備金の補充時の処理手順について説明する。図８は、図１に示した釣銭機１００に対する釣銭準備金の補充処理手順を示すフローチャートである。また、図９は、図８に示す処理を行う場合に表示操作部１０４に表示される画面の一例を示す図である。
【００８５】
図８に示すように、釣銭機１００が待機状態にある場合には（ステップＳ１０１；Ｎｏ）、図９に示す初期画面Ｇ１が表示操作部１０４に表示される。具体的には、この初期画面Ｇ１では、装置内に収納された貨幣の在高を示している。ここでは、貨幣の在高を一種の棒グラフ状に示すこととしたが、貨幣の枚数を表示することもできる。
【００８６】
この待機状態において、釣銭機１００のカセット装着部１２６に収納カセット３００が装着されると（ステップＳ１０１；Ｙｅｓ）、図９に示すＩＣタグ要求画面Ｇ２が表示操作部１０４に表示される（ステップＳ１０２）。
【００８７】
そして、管理者が、ＩＣタグ１０１ａをＩＣタグリーダ１０１に翳し、ＩＣタグリーダ１０１がＩＣタグ１０１ａ内のメモリに記憶された識別情報を読み取ると（ステップＳ１０３；Ｙｅｓ）、この識別情報が上位制御部１０２を介して判定部１０９に受け渡され、操作者が釣銭準備金の補充を行う権限を有するか否かを判定する（ステップＳ１０４）。
【００８８】
その結果、操作者が釣銭準備金の補充を行う権限を有しないと判定された場合には（ステップＳ１０５；Ｎｏ）、エラーを報知して（ステップＳ１０６）、処理を終了する。収納カセット３００が装着されたにも係わらず、管理者権限を有さない者の操作であったため、一種の不正が行われた可能性が想定されるからである。
【００８９】
これに対して、操作者が釣銭準備金の補充を行う権限を有すると判定された場合には（ステップＳ１０５；Ｙｅｓ）、収納カセット３００内の釣銭準備金となる貨幣を各紙幣収納部１３４、１３６、１３８に収納させる釣銭準備金の補充処理を行うとともに（ステップＳ１０７）、表示操作部１０４に補充画面Ｇ３を表示制御する（ステップＳ１０８）。
【００９０】
全ての金種の補充処理が終了していない場合には（ステップＳ１０９；Ｎｏ）、ステップＳ１０７に移行して同様の処理を繰り返し、全ての金種の補充処理が終了したならば（ステップＳ１０９；Ｙｅｓ）、一連の釣銭準備金の補充処理を終了する。
【００９１】
上述してきたように、本実施例１では、釣銭機１００のカセット装着部１２６に収納カセット３００が装着され、ＩＣタグ１０１ａがＩＣタグリーダ１０１に翳されると、ＩＣタグ１０１ａから読み取られた識別情報が所定の権限情報に対応するものであることを条件として、収納カセット３００内の釣銭準備金となる貨幣を各紙幣収納部１３４、１３６、１３８に収納させる釣銭準備金の補充処理を行うよう構成したので、収納カセット３００を所持する管理者は、まず収納カセット３００を釣銭機１００に装着させ、自身が所持するＩＣタグ１０１ａの翳し操作を行うだけで、釣銭準備金の補充処理を行わせることができる。その結果として、セキュリティ面の低下を招くことなく担当者（管理者）の操作性を向上させることが可能となる。
【００９２】
なお、上記の実施例１では、管理者が、まず釣銭機１００のカセット装着部１２６に収納カセット３００を装着する場合を示したが、ＩＣタグリーダ１０１に対するＩＣタグ１０１ａの翳し操作を先に行うこともできる。このため、この場合の補充処理手順及び画面例について説明する。
【００９３】
図１０は、釣銭機１００に対する釣銭準備金の別の補充処理手順を示すフローチャートである。また、図１１は、図１０に示す処理を行う場合に表示操作部１０４に表示される画面の一例を示す図である。
【００９４】
図１０に示すように、釣銭機１００が待機状態にある場合には（ステップＳ２０１；Ｎｏ）、すでに説明したように、図１１に示す初期画面Ｇ１が表示操作部１０４に表示される。
【００９５】
この待機状態において、管理者が、ＩＣタグ１０１ａをＩＣタグリーダ１０１に翳し、ＩＣタグリーダ１０１がＩＣタグ１０１ａ内のメモリに記憶された識別情報を読み取ると（ステップＳ２０１；Ｙｅｓ）、この識別情報が上位制御部１０２を介して判定部１０９に受け渡され、操作者が管理者としての権限を有するか否かを判定する（ステップＳ２０２）。
【００９６】
その結果、操作者が管理者としての権限を有しないと判定された場合には（ステップＳ２０３；Ｎｏ）、ステップＳ２０１に移行する。なお、管理者の権限を有しない者による操作を受け付ける別の画面を表示操作部１０４に表示することもできる。この画面には、レジ担当者に許容された各種操作に対応する操作ボタン（自動精査、回収、払い出し）が設けられる。
【００９７】
一方、操作者が管理者としての権限を有すると判定された場合には（ステップＳ２０３；Ｙｅｓ）、図１１に示す管理者用画面Ｇ４が表示操作部１０４に表示される（ステップＳ２０４）。この管理者用画面Ｇ４には、管理者に許容された各種操作に対応する操作ボタン（収納、自動精査、回収、釣銭機、払い出し、補充／両替）が設けられている。
【００９８】
ここで、管理者による補充操作（補充／両替ボタンの押下操作）を受け付けたならば（ステップＳ２０５；Ｙｅｓ）、カセット装着部１２６への収納カセット３００の装着を促すカセット要求画面Ｇ５が表示操作部１０４に表示される（ステップＳ２０６）。
【００９９】
そして、カセット装着部１２６に対して収納カセット３００が装着されたならば（ステップＳ２０７；Ｙｅｓ）、収納カセット３００内の釣銭準備金となる貨幣を各紙幣収納部１３４、１３６、１３８に収納させる釣銭準備金の補充処理を行うとともに（ステップＳ２０８）、表示操作部１０４に補充画面Ｇ６を表示制御する（ステップＳ２０９）。
【０１００】
全ての金種の補充処理が終了していない場合には（ステップＳ２１０；Ｎｏ）、ステップＳ２０８に移行して同様の処理を繰り返し、全ての金種の補充処理が終了したならば（ステップＳ２１０；Ｙｅｓ）、一連の釣銭準備金の補充処理を終了する。
【０１０１】
＜応用例＞
ところで、本実施例１に係る釣銭機１００によれば、収納カセット３００の装着及びＩＣタグ１０１ａの翳し操作という簡略化された操作で釣銭準備金を釣銭機１００に補充できるため、釣銭準備金を補充中の釣銭機１００から離れて他の作業を行う可能性がある。
【０１０２】
ここで、釣銭機１００が収納カセット３００内の釣銭準備金としての紙幣を取り込む際に、汚損等の紙幣を検知したならば、かかる紙幣はリジェクト紙幣として紙幣取出口１２２ａに出金されるため、管理者の不在時に第三者が釣銭機１００の周辺に所在すると、この第三者が紙幣取出口１２２ａのリジェクト紙幣を盗用するおそれがある。
【０１０３】
このため、紙幣取出口１２２ａにシャッタ又はカバーを設けるとともに、この紙幣取出口１２２ａの近傍にＬＥＤを配設し、釣銭機１００が釣銭準備金を補充中である場合には、シャッタ又はカバーを閉じ、紙幣取出口１２２ａにリジェクト紙幣が出金された場合には、紙幣取出口１２２ａの近傍に設けられたＬＥＤを点灯又は点滅させる。そして、ＩＣタグ１０１ａの操作者と同一人又はこの操作者以上の権限を有する者が所持するＩＣタグ１０１ａが翳し操作された場合に、シャッタ又はカバーを開き、ＬＥＤを消灯させるよう構成することもできる。
【実施例２】
【０１０４】
ところで、上記の実施例１では、本発明を釣銭機１００に適用した場合を示したが、本発明はこれに限定されるものではなく、店舗のバックヤードに配設される貨幣入出金機などに適用することもできる。そこで、本実施例２では、本発明を貨幣入出金機に適用した場合を示すこととする。
【０１０５】
＜貨幣入出金機２００の特徴について＞
まず、本実施例２に係る貨幣入出金機２００の特徴について説明する。図１２は、本実施例２に係る貨幣入出金機２００の特徴を説明するための説明図である。同図に示すように、この貨幣入出金機２００には、ＩＣタグリーダ２０１が設けられている。釣銭機１００の売上金は収納カセット３００に装填し、店舗のバックヤードに配設された貨幣入出金機２００に入金されるため、かかる収納カセット３００を用いた売上金の入金時におけるレジ担当者の操作にも、本発明を適用することができる。
【０１０６】
本実施例２に係る貨幣入出金機２００では、操作者であるレジ担当者が、収納カセット３００を貨幣入出金機２００に装着し（１）、その後にＩＣタグ１０１ａをＩＣタグリーダ２０１ａに翳す（２）と、操作者が正当なレジ担当者であることを条件として、収納カセット３００内の紙幣が貨幣入出金機２００に補充される。なお、収納カセット３００の装着及びＩＣタグ１０１ａの翳し操作が行われると、表示操作部２０４に計数画面が表示される。このようにすることで、本実施例２に係る貨幣入出金機２００は、操作者であるレジ担当者の操作性を向上させている。
【０１０７】
また、この貨幣入出金機２００では、先にレジ担当者が所持するＩＣタグ１０１ａがＩＣタグリーダ２０１ａに翳され、レジ担当者の認証処理が行われたならば、その後に表示操作部２０４上で選択操作を行わなくとも、収納カセット３００を貨幣入出金機２００に装着できるようにしている。収納カセット３００の装着を行う前に、入金などの選択操作を行わねばならない従来技術に比して、レジ担当者の操作性を向上させている。
【０１０８】
＜貨幣入出金機２００の構成＞
次に、貨幣入出金機２００の構成の詳細について図１３〜図１６を用いて説明する。図１３等に示すように、この貨幣入出金機２００は、略直方体形状の筐体２０１を備えており、この筐体２０１の内部には、紙幣の入金処理及び出金処理を行う紙幣処理ユニット２１０、硬貨の入金処理及び出金処理を行う硬貨処理ユニット２５０、及び包装硬貨（同一金種の硬貨を一定枚数（例えば、２０枚や５０枚）だけ棒状にまとめてフィルムや包装紙等により包装したもの）を収納する包装硬貨収納ユニット２８０がそれぞれ収容されている。図１３に示すように、紙幣処理ユニット２１０及び硬貨処理ユニット２５０は、貨幣入出金機２００を手前側から見て左右に並ぶよう配置されており、これらの紙幣処理ユニット２１０及び硬貨処理ユニット２５０の下方に包装硬貨収納ユニット２８０が配置されている。
【０１０９】
＜紙幣処理ユニット２１０の構成＞
図１３及び図１４に示すように、紙幣処理ユニット２１０は、筐体２０１の前面側の右側領域に設けられた紙幣受入部２２０と、筐体２０１の前面側において紙幣受入部２２０の下方に設けられた紙幣払出部２２２と、筐体２０１の内部で紙幣を１枚ずつ搬送する搬送部２３０と、筐体２０１の内部で紙幣を収納するとともに収納されている紙幣を繰出可能な複数の紙幣収納部２３４、２３６とを備えている。なお、図１４において、筐体２０１の右側の側面が紙幣処理ユニット２１０の手前側の面となっており、図１４における左向きの方向が紙幣処理ユニット２１０の奥行き方向となっている。
【０１１０】
図１４に示すように、搬送部２３０は、筐体２０１の上部における中央位置に配置された周回搬送部２３０ａ及び複数の接続搬送部２３０ｂから構成されている。また、紙幣受入部２２０、紙幣払出部２２２、出金リジェクト部２２４、後述する収納カセット３００を着脱自在に装着可能なカセット装着部２２６、回収カセット２４０及び２つの紙幣収納部２３４、２３６が、それぞれ、周回搬送部２３０ａを取り囲むよう配置されている。
【０１１１】
また、図１４に示すように、複数の接続搬送部２３０ｂの各々により、紙幣受入部２２０、紙幣払出部２２２、出金リジェクト部２２４、カセット装着部２２６、回収カセット２４０及び２つの紙幣収納部２３４、２３６の各々と、周回搬送部２３０ａとの間がそれぞれ接続されている。また、周回搬送部２３０ａには識別部２３２が設けられており、この識別部２３２は、周回搬送部２３０ａにより搬送される紙幣の金種、真偽、正損、表裏、搬送状態等の識別を行う。
【０１１２】
周回搬送部２３０ａは、図１４における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【０１１３】
図１３及び図１４に示すように、筐体２０１の前面には、紙幣受入部２２０の紙幣受入口２２０ａと、紙幣払出部２２２の紙幣取出口２２２ａとがそれぞれ設けられている。また、カセット装着部２２６の前面側には扉２２６ａが設けられており、この扉２２６ａを開くことにより収納カセット３００をカセット装着部２２６の装着、カセット装着部２２６から収納カセット３００を取り出しが可能となる。
【０１１４】
操作者が、この扉２２６ａを開いてカセット装着部２２６に収納カセット３００を装着した状態で、ＩＣタグ１０１ａをＩＣタグリーダ２０１ａに翳すと、操作者が正当であることを条件として、収納カセット３００に装填された売上金としての紙幣が各紙幣収納部２３４、２３６に収納処理される。
【０１１５】
また、図１６に示すように、カセット装着部２２６には、当該カセット装着部２２６に装着された収納カセット３００に付設されたカセット用ＩＣタグ３０４に様々な情報を読み書きするカセット用ＩＣタグリーダライタ２２８が設けられる。
【０１１６】
紙幣受入部２２０には紙幣繰出機構２２１が設けられており、紙幣受入口２２０ａに１枚あるいは複数枚の紙幣が投入されたことが検知されると、紙幣繰出機構２２１が駆動されることにより、紙幣が接続搬送部２３０ｂを介して周回搬送部２３０ａ側へ１枚ずつ繰り出される。
【０１１７】
紙幣払出部２２２は、各紙幣収納部２３４、２３６から周回搬送部２３０ａに繰り出された紙幣を紙幣取出口２２２ａにより筐体２０１の外部へ放出する。
【０１１８】
出金リジェクト部２２４は、出金処理時において各紙幣収納部２３４、２３６から繰り出された紙幣のうち、重送や斜行等の搬送異常により識別部２３２で識別することができない紙幣を出金リジェクト紙幣として収納する。また、紙幣受入部２２０から筐体２０１の内部に取り込まれた紙幣のうち、入金処理時において汚損等により識別部２３２で識別することができない紙幣は入金リジェクト紙幣として紙幣払出部２２２に返却される。
【０１１９】
各紙幣収納部２３４、２３６は、識別部２３２の識別結果に基づいて紙幣を金種別に収納する。これらの紙幣収納部２３４、２３６には、釣銭機１００への釣銭補充金の紙幣として貨幣入出金機２００から出金されるべき紙幣が収納される。例えば、紙幣収納部２３４には千円札が収納され、紙幣収納部２３６には五千円札が収納される。なお、一万円札は後述する回収カセット２４０に収納される。また、各紙幣収納部２３４、２３６には、それぞれ紙幣繰出機構２３５、２３７が設けられており、これらの紙幣収納部２３４、２３６に収納されている紙幣は、各紙幣繰出機構２３５、２３７により接続搬送部２３０ｂを介して周回搬送部２３０ａ側へ１枚ずつ繰り出される。
【０１２０】
筐体２０１の内部における下部領域には回収カセット２４０が収容されており、警送会社により回収されるべき紙幣が回収カセット２４０に収納される。具体的には、識別部２３２により識別された紙幣が周回搬送部２３０ａから接続搬送部２３０ｂを経て回収カセット２４０に送られる。また、回収カセット２４０の前面側には扉２４０ａが設けられており、この扉２４０ａを開くことにより回収カセット２４０を筐体２０１の内部に収容させたり筐体２０１の内部から回収カセット２４０を取り出すことができる。
【０１２１】
＜硬貨処理ユニット２５０の構成＞
次に、硬貨処理ユニット２５０の構成について説明する。図１３及び図１５に示すように、硬貨処理ユニット２５０は、筐体２０１の前面側の左側領域に設けられた硬貨受入部２５２と、筐体２０１の前面側において硬貨受入部２５２の下方に設けられた硬貨払出部２６６と、筐体２０１の内部で硬貨を収納するとともに収納されている硬貨を繰出可能な複数の収納繰出部２６０とを有する。
【０１２２】
硬貨受入部２５２は、硬貨投入口を介して受け入れた硬貨を１層１列状態で１枚ずつ筐体２０１内に取り込む。具体的には、硬貨受入部２５２には繰出ベルト等からなる硬貨繰出機構２５３が設けられており、硬貨受入部２５２に受け入れられた硬貨を検知するとこの硬貨繰出機構２５３が駆動されることにより、当該硬貨繰出機構２５３によって硬貨が筐体２０１の内部に１枚ずつ繰り出される。また、図１５に示すように、硬貨受入部２５２には、当該硬貨受入部２５２により筐体２０１の内部に繰り出された硬貨を搬送する入金搬送部２５４が接続されている。
【０１２３】
図１５に示すように、入金搬送部２５４の途中には、硬貨の金種、真偽、正損、表裏、搬送状態等の識別を行う識別部２５６と、第１分岐部２５８とがそれぞれ設けられている。第１分岐部２５８は、識別部２５６による硬貨の識別結果に基づいて、硬貨払出部２６６から払い出されるべき硬貨（リジェクト硬貨等）を入金搬送部２５４から分岐させて出金搬送部２６２へ案内する。
【０１２４】
一方、筐体２０１内に収納されるべき硬貨（正常硬貨等）は、入金搬送部２５４により各収納繰出部２６０へ搬送される。収納繰出部２６０は、硬貨を金種別に収納するとともに収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部１５４の上流側（すなわち、図１５における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられる。
【０１２５】
出金搬送部２６２は、収納繰出部２６０から繰り出された硬貨を硬貨払出部２６６へ搬送する。また、出金搬送部２６２は、第１分岐部２５８により入金搬送部２５４から分岐させられたリジェクト硬貨等を硬貨払出部２６６へ搬送する。
【０１２６】
筐体２０１の内部における下部領域には回収カセット２７０が収容されており、警送会社により回収されるべき硬貨が回収カセット２７０に収納される。具体的には、図１５に示すように、出金搬送部２６２の途中箇所には第２分岐部２６４が設けられており、当該第２分岐部２６４により出金搬送部２６２から分岐させられた硬貨が回収カセット２７０に送られて、この回収カセット２７０に収納される。また、回収カセット２７０の前面側には扉２７０ａが設けられており、この扉２７０ａを開くことにより回収カセット２７０を筐体２０１の内部に収容させたり筐体２０１の内部から回収カセット２７０を取り出すことができる。
【０１２７】
＜貨幣入出金機２００の制御系の構成＞
次に、貨幣入出金機２００の制御系の構成について説明する。図１６は、貨幣入出金機２００の制御系の構成を示すブロック図である。図１６に示すように、貨幣入出金機２００の筐体２０１の内部には制御部２０２が設けられており、当該制御部２０２により紙幣処理ユニット２１０、硬貨処理ユニット２５０及び包装硬貨収納ユニット２８０の各々の構成部位が制御される。
【０１２８】
具体的には、制御部２０２には、紙幣処理ユニット２１０の紙幣繰出機構２２１、搬送部２３０、識別部２３２、紙幣繰出機構２３５、２３７、カセット装着部２２６、カセット用ＩＣタグリーダライタ２２８等が接続されており、識別部２３２による紙幣の識別情報や、収納カセット３００に設けられたカセット用ＩＣタグ３０４から読み取られた情報が制御部２０２に送られるとともに、制御部２０２は紙幣処理ユニット２１０の各構成部位に指令信号を送ることにより、これらの構成部位の制御を行う。
【０１２９】
また、制御部２０２には、硬貨処理ユニット２５０の硬貨繰出機構２５３、入金搬送部２５４、識別部２５６、第１分岐部２５８、各収納繰出部２６０、出金搬送部２６２及び第２分岐部２６４等が接続されており、識別部２５６による硬貨の識別情報が制御部２０２に送られるとともに、制御部２０２は硬貨処理ユニット２５０の各構成部位に指令信号を送ることにより、これらの構成部位の制御を行う。
【０１３０】
また、制御部２０２には、包装硬貨収納ユニット２８０のロック機構２８４及び重量計２８６等が接続されており、重量計２８６による包装硬貨の測定結果が制御部２０２に送られるとともに、制御部２０２はロック機構２８４に指令信号を送ることにより当該ロック機構２８４の制御を行う。
【０１３１】
また、制御部２０２は、カセット装着部２２６に収納カセット３００が装着され、その後にＩＣタグリーダ２０１ａにてＩＣタグ１０１ａのメモリに記憶された識別情報が読み出され、この識別情報により操作者が正当であると判定されたならば、収納カセット３００内の売上金となる貨幣を各紙幣収納部２３４、２３６に収納させるよう制御する。この際、その旨を表示操作部２０４に表示制御する。
【０１３２】
なお、操作者が正当であるか否かを判定する際には、ＩＣタグ１０１ａ内のメモリに操作者を一意に識別する識別情報を記憶するとともに、記憶部２０６に正当な各操作者の識別情報を記憶しておき、ＩＣタグ１０１ａから識別情報を読み取った際に、両者を比較して売上金の入金を許容するか否かを判定する。また、ＩＣタグ１０１ａ内のメモリに操作者が担当するレジＩＤを記憶させ、読み取った情報に基づいてレジＩＤを特定することもできる。
【０１３３】
さらに、釣銭機１００においてＩＣタグ１０１ａ内のメモリに「（貨幣入出金機２００への）入金」を示す情報を記憶させ、貨幣入出金機２００が、ＩＣタグ１０１ａ内のメモリ読み取った情報に基づいて「（売上金の）入金」であることを特定させることもできる。かかる情報を用いることで、操作者によるボタン操作を省略させつつ、売上金の入金を行うことができる。
【０１３４】
また、図１６に示すように、制御部２０２には、表示操作部２０４、通信部２０５、記憶部２０６、判定部２０９がそれぞれ接続されている。
【０１３５】
表示操作部２０４は、筐体２０１の上部に設けられたタッチパネル等からなり、操作者が操作するための操作画面や、紙幣処理ユニット２１０、硬貨処理ユニット２５０及び包装硬貨収納ユニット２８０の各々に収納されている貨幣の在高に係る情報が表示操作部２０４に表示される。また、この表示操作部２０４において操作者は操作画面における操作ボタンに指を触れることによって制御部２０２に様々な指令を入力することができる。通信部２０５は、ターミナルやユーザーサーバに対してＬＡＮを介して様々な信号の送受信を行う。
【０１３６】
記憶部２０６は、ハードディスク装置や不揮発性メモリ等の記憶デバイスからなり、紙幣処理ユニット２１０、硬貨処理ユニット２５０及び包装硬貨収納ユニット２８０の各々に収納されている貨幣の在高に係る情報や、貨幣入出金機２００における貨幣の処理履歴等の様々な情報が記憶される。なお、この記憶部２０６には、正当なレジ担当者に付与したＩＣタグ１０１ａの識別情報も記憶される。
【０１３７】
また、この記憶部２０６には、各種画面の画面データが記憶される。これらの画面データは、制御部２０２により読み出され、表示操作部２０４に表示制御される。
【０１３８】
判定部２０９は、ＩＣタグリーダ２０１ａにより読み出されたＩＣタグ１０１ａの識別情報に基づいて、操作者が正当なレジ担当者であるか否かを判定する処理部である。例えば、レジ担当者の識別情報に対応する権限情報が「０」、レジでの管理者の識別情報に対応する権限情報が「１」、店長の識別情報に対応する権限情報が「２」と設定されている場合には、レジ担当者、管理者、店長のいずれかに付与された識別情報と一致すれば、操作者が正当であると判定する。
【０１３９】
＜貨幣入出金機２００の操作＞
次に、売上金を入金する場合における貨幣入出金機２００の操作について説明する。図１７は、売上金を入金する場合における貨幣入出金機２００の操作画面の一例を示す図である。ここでは、ＩＣタグ１０１ａを用いて操作者が管理者として認証されているものとする。
【０１４０】
貨幣入出金機２００の表示操作部２０４には、図１７に示す取引種別選択画面Ｈ１が表示される。この取引種別選択画面Ｈ１では、取引対象となる種別（入金、出金、売上回収）を選択する。ここで、「入金」ボタンは、貨幣入出金機２００の売上金となる貨幣を入金する場合に選択され、「出金」ボタンは、釣銭準備金等の貨幣を出金する場合に選択され、「売上回収」ボタンは、警送会社の担当者が貨幣を回収する場合に選択される。
【０１４１】
ここで、操作者が「入金」ボタンを押下操作すると、表示操作部２０４には、図１７に示す入金方法選択画面Ｈ２が表示される。この入金方法選択画面Ｈ２では、「カセットから入金」、「投入口から入金」が選択される。
【０１４２】
そして、操作者が「カセットから入金」ボタンを押下操作すると、表示操作部２０４には、図１７に示すカセット要求画面Ｈ３が表示される。このカセット要求画面Ｈ３では、カセット装着部２２６に対する収納カセット３００の装着が要求される。
【０１４３】
そして、操作者がカセット装着部２２６に収納カセット３００を装着すると、収納カセット３００の紙幣が１枚ずつ繰り出され、紙幣収納部２３４、２３６に収納する処理が行われるとともに、図１７に示す計数画面Ｈ４が表示操作部２０４に表示される。
【０１４４】
しかしながら、操作者がかかる一連の操作を常に行わねばならないこととすると、操作が煩雑なものとなり、操作者が１台の装置を占有する時間が長くなる。その結果として、店舗運用の停滞を招く可能性がある。
【０１４５】
そこで、本実施例２では、貨幣入出金機２００が待機状態である場合に、実施例１と同様に収納カセット３００を装着して、ＩＣタグ１０１ａを翳し操作すると、収納カセット３００内の貨幣を入金するよう構成している。
【０１４６】
ただし、入金と出金の区別を明確化するために、釣銭機１００から紙幣を収納済みの収納カセット３００を取り外す場合には、「入金」を示す情報をカセット用ＩＣタグ３０４のメモリに書き込み、貨幣入出金機２００は、収納カセット３００が装着された際に、この収納カセット３００に付設されたカセット用ＩＣタグ３０４のメモリから「入金」を示す情報を読み出すことで、貨幣入出金機２００が「入金」である旨を判定することが可能となる。
【０１４７】
また、先にＩＣタグ１０１ａによる認証が行われた場合には、図１７に示すように、表示操作部２０４に取引選択画面Ｈ１に表示し、この状態で収納カセット３００が装着されたならば、収納カセット３００内の紙幣を入金処理しつつ、表示操作部２０４に計数画面Ｈ４を表示することもできる。
【０１４８】
上述してきたように、実施例２に係る貨幣入出金機２００は、貨幣入出金機２００が待機状態である場合に、実施例１と同様に収納カセット３００を装着して、ＩＣタグ１０１ａを翳し操作すると、収納カセット３００内の貨幣を入金し、また、先にＩＣタグ１０１ａによる認証が行われた場合には、表示操作部２０４に取引選択画面Ｈ１に表示し、この状態で収納カセット３００が装着されたならば、収納カセット３００内の紙幣を入金処理しつつ、表示操作部２０４に計数画面Ｈ４を表示するよう構成したので、操作者による操作負担を軽減しつつ、操作者が１台の装置を占有する時間を短縮させ、もって店舗運用の停滞を防止することが可能となる。
【０１４９】
＜応用例＞
ところで、上記の釣銭機１００及び貨幣入出金機２００の紙幣収納部に収納できる紙幣量には一定量の制限があり、一定量以上の紙幣量を収納する必要が生ずる可能性がある場合には、釣銭機１００及び貨幣入出金機２００の導入前にあらかじめ上位機種を選定しなければならない。しかしながら、たとえ上位機種を選定したとしても、店舗の状況によって多量の紙幣を釣銭機１００及び貨幣入出金機２００の紙幣収納部に収納せざるを得ない場合がある。
【０１５０】
そこで、この収納カセット３００を一時的な紙幣収納部として用いることで、釣銭機１００及び貨幣入出金機２００に収納できる紙幣量を増量することができる。
【０１５１】
この点を具体的に説明すると、フロントに設置される釣銭機１００では釣銭となる金種が多量に必要となる。このため、釣銭機３００に対する収納カセット３００内の釣銭準備金の補充を完了したならば、この収納カセット３００を例えば千円用の紙幣収納部として利用する。いずれの金種の紙幣収納部として機能させるかは、収納カセット３００に付設されたカセット用ＩＣタグ３０４に書き込んでおけば良い。たとえ、貨幣入出金機２００が収納カセット３００を万円用の紙幣収納部として利用していたとしても、この収納カセット３００に千円札を補充して釣銭準備金の受け渡しに利用する場合には、この収納カセット３００の金種を千円用に変更することになる。
【０１５２】
ここで、かかる収納カセット３００が釣銭機１００に装着されている場合には、この収納カセット３００の在高が釣銭機１００の機内扱いとし、釣銭準備金を装填された収納カセット３００が保管されている場合には、この収納カセット３００の在高は、釣銭機１００の機外の在高とする。
【０１５３】
また、複数のレジにそれぞれ釣銭機Ｘ，Ｙが設けられている場合に、一方の釣銭機Ｘが収納カセット３００に例えば五千円札１０枚を収納して他方の釣銭機Ｙに装着して入金し、他方の釣銭機Ｙが収納カセット３００に同一金額の千円札５０枚を再度収納して釣銭機Ｘに装着して入金するよう構成すれば、釣銭機Ｘ，Ｙ間の自動両替を行うことができる。この場合に、収納カセット３００に収納された紙幣の金種及び両替を要求する紙幣の金種に関する情報及びステイタスに関する情報をカセット用ＩＣタグ３０４に記憶することになる。
【０１５４】
なお、上記の実施例１及び２では、収納カセット３００に紙幣を収納する場合を説明したが、本発明はこれに限定されるものではなく、収納カセット３００に硬貨を収納する場合に適用することもできる。
【０１５５】
また、上記の実施例１及び２では、本発明を釣銭機及び貨幣入出金機に適用した場合を示したが、本発明はこれに限定されるものではなく、各種の貨幣処理装置に適用することができる。
【産業上の利用可能性】
【０１５６】
本発明の貨幣処理装置及び貨幣処理方法は、貨幣カセット内の貨幣を貨幣処理装置に入金する際に、セキュリティ面の低下を招くことなく担当者の操作性を向上させる場合に有用である。
【符号の説明】
【０１５７】
Ｇ１    初期画面
Ｇ２    ＩＣタグ要求画面
Ｇ３    補充画面
Ｇ４    管理者用画面
Ｇ５    カセット要求画面
Ｇ６    補充画面
Ｈ１    取引種別選択画面
Ｈ２    入金方法選択画面
Ｈ３    カセット要求画面
Ｈ４    計数画面
１００    釣銭機
１０１    ＩＣタグリーダ
１０１ａ    ＩＣタグ（管理者用）
１０２    上位制御部
１０３    通信部
１０４    表示操作部
１０５    比較部
１０６    出金情報管理部
１０８    記憶部
１０９    判定部
１１０    紙幣処理ユニット
１１０ａ  紙幣制御部
１１２    筐体
１２０    紙幣受入部
１２０ａ  紙幣受入口
１２１    紙幣繰出機構
１２２    紙幣払出部
１２２ａ  紙幣取出口
１２４    出金リジェクト部
１２６    カセット装着部
１２６ａ  扉
１２８    カセット用ＩＣタグリーダライタ
１３０    搬送部
１３０ａ  周回搬送部
１３０ｂ  接続搬送部
１３２    識別部
１３４、１３６、１３８  紙幣収納部
１３５、１３７、１３９  紙幣繰出機構
１４０    通信部
１５０    硬貨処理ユニット
１５０ａ  硬貨制御部
１５１    筐体
１５２    硬貨受入部
１５３    硬貨繰出機構
１５４    入金搬送部
１５６    識別部
１５８    分岐部
１６０    収納繰出部
１６２    出金搬送部
１６４    硬貨補助収納部
１６６    硬貨払出部
１８０    包装硬貨収納ユニット
１８０ａ  包装硬貨制御部
１８１    筐体
１８２    収納ドロア
１８４    検知部
１８４ａ  光センサ
１８４ｂ  ロータリエンコーダ
１８６    ロック機構
１８８    記憶部
１８９    通信部
１９０    ＰＯＳレジスタ
１９１    ＰＯＳ制御部
１９２    通信部
１９３    表示部
１９３ａ  追加の表示部
１９４    操作部
１９５    記憶部
１９７    印字部
２００    貨幣入出金機
２０１    筐体
２０１ａ    ＩＣタグリーダ
２０２    制御部
２０２ａ    貨幣量データ取得部
２０２ｂ    入金制御部
２０４    表示操作部
２０５    通信部
２０６    記憶部
２０９    判定部
２１０    紙幣処理ユニット
２２０    紙幣受入部
２２０ａ    紙幣受入口
２２１    紙幣繰出機構
２２２    紙幣払出部
２２２ａ    紙幣取出口
２２４    出金リジェクト部
２２６    カセット装着部
２２６ａ    扉
２２８    カセット用ＩＣタグリーダライタ
２３０    搬送部
２３０ａ    周回搬送部
２３０ｂ    接続搬送部
２３２    識別部
２３４、２３６    紙幣収納部
２３５、２３７    紙幣繰出機構
２４０    回収カセット
２４０ａ    扉
２５０    硬貨処理ユニット
２５２    硬貨受入部
２５３    硬貨繰出機構
２５４    入金搬送部
２５６    識別部
２５８    第１分岐部
２６０    収納繰出部
２６２    出金搬送部
２６４    第２分岐部
２６６    硬貨払出部
２７０    回収カセット
２７０ａ    扉
２８０    包装硬貨収納ユニット
２８４    ロック機構
２８６    重量計
３００    収納カセット
３０１    ケーシング
３０２    開口
３０４    カセット用ＩＣタグ
【図１】
0006669527.tif 000002
【図２】
0006669527.tif 000003
【図３】
0006669527.tif 000004
【図４】
0006669527.tif 000005
【図５】
0006669527.tif 000006
【図６】
0006669527.tif 000007
【図７】
0006669527.tif 000008
【図８】
0006669527.tif 000009
【図９】
0006669527.tif 000010
【図１０】
0006669527.tif 000011
【図１１】
0006669527.tif 000012
【図１２】
0006669527.tif 000013
【図１３】
0006669527.tif 000014
【図１４】
0006669527.tif 000015
【図１５】
0006669527.tif 000016
【図１６】
0006669527.tif 000017
【図１７】
0006669527.tif 000018